(57)【要約】【課題】人が混雑している場所でも使い易く、男性や若い女性等が使用したいと思うようなデザイン性・機能性・携帯性を持った日除けを提供する。【解決手段】扇状に開閉できる多様な形状や多様な長さに加工された複数の骨部材に日除け用のシートが張設されている。シートが張設された骨部材には弾性体が取り設けられ、容易に開閉できるように工夫され、日除け本体はできている。また、可動継手を取り付けた多様な形状が可能な手持ち用の軸部材を日除け本体に取付けることが可能である。以上により、デザイン性・機能性・携帯性を持つことができる。【選択図】図１
2010259703.tif 000002
【特許請求の範囲】
【請求項１】
開状態である略扇状の初期設定位置に配置された本体の骨組となる複数部材と、該複数部材に張設されたシートと、該複数部材及び該シートの開閉に係る一以上の弾性体と、該複数部材及び該シートを閉状態に保持する開き止め部材とから構成され、
前記略扇状に配置された前記複数部材の概ね要の位置にある各々端部は、略扇動可能に軸支され、若しくは、一体に形成され、
前記複数部材が前記初期設定位置を保持し、前記シートが前記開状態を保持できるように、また該複数部材の概ね要の位置の他方にある各々自由端を略集合させることによって、該シートは閉じ、前記一以上の弾性体は弾性変形し弾性エネルギーを蓄積できるように、該一以上の弾性体は前記複数部材に装設され、
前記複数部材の各々自由端の略集合状態を保持しつつ前記シートの閉状態を保持するように、そして、前記一以上の弾性体の弾性エネルギーが蓄積された状態を保持するように前記開き止め部材は作用し、
前記開き止め部材による一以上の弾性体の弾性エネルギーが、蓄積された状態を保持する作用の開放によって、該弾性エネルギーは開放され、前記複数部材は前記の初期設定位置に再配置され、前記シートが開状態になることを特徴とする携帯用日除け
【請求項２】
可動継手を備えた部材、若しくは、伸縮可能な部材、若しくは、折り畳み可能な部材の一端を前記複数部材に装着、若しくは、着脱自在に装着することを特徴とする、請求項１に記載の携帯用日除け
【請求項３】
前記一以上の弾性体が一以上のねじりばねであり、該一以上のねじりばねを前記略要の位置に略積層状に配置し、前記複数部材の略要部に位置した該複数部材の各々端部とねじりばね各々端部が接合し、若しくは、一体に形成され、
前記一以上のねじりばねは、前記複数部材が前記初期設定位置であることを保持し、前記シートが前記開状態であることを保持し、かつ該複数部材の概ね要の位置の他方にある各々自由端を略集合させることによって、該シートは閉じ、該一以上のねじりばねは弾性変形し弾性エネルギーを蓄積するように、該一以上のねじりばね相互が接合されていることを特徴とする請求項１から２のいずれか一項に記載の携帯用日除け
【請求項４】
前記一以上の弾性体が一以上の圧縮弾性体、若しくは、一以上の引張り弾性体あることを特徴とする請求項１から２のいずれか一項に記載の携帯用日除け
【請求項５】
前記開き止め部材は、前記閉状態の前記複数部材及び前記閉状態のシートが挿通しうるループ状を呈する可撓性資材もしくは非可撓性資材であることを特徴とする請求項１から４のいずれか一項に記載の携帯用日除け
【請求項６】
前記シートが、引張弾性資材であることを特徴とする請求項１から５のいずれか一項に記載の携帯用日除け
【発明の詳細な説明】
【技術分野】
【０００１】
本発明の携帯用日除けは、人が混雑した場所にて使用した時に他人への影響を小さくし、屋外競技観戦等の場所にて使用した時に視野の妨げを小さくするように工夫され、また、男性や若い女性が積極的に使用したくなるような魅力的なデザインが可能になるように工夫されている。
【背景技術】
【０００２】
従来、携帯できる日除けとして日傘がある。しかし、日傘は繁華街の道路等人が混雑し他人の通行に影響する場所での使用や、屋外競技の観客席等で他人の視野の妨げになるような場所での使用には適していない。
また、日傘は年配の女性に多く使用されてきた歴史があるので、男性は日傘を使用することに抵抗感を持つ。若い女性もカジュアルに使用することは少ない。
【０００３】
ところで、男性が強い日差しを雑誌、新聞紙で遮る行為が多く見られる。この行為は日差しを遮り暑さを避けることに対しかなり効果的である。
しかし、雑誌では重く新聞紙では形を保ちづらいため、心地よく使用するには難がある。また、若い女性はハンカチ等で日差しを遮ることが見られるが、効果は十分ではない。
【０００４】
この改善策として、特許公開された携帯用日除け、若しくは、携帯用日除けとして使用できる事例が数件ある（特許文献参照）。
しかし、これら発明は世の中で広く使用されてはいない。その理由はデザインに魅力がないために男性や若い女性は積極的に使用しようとしないと考えられる。
【先行技術文献】
【特許文献】
【０００５】
【特許文献１】特公昭２７−００３３８７号公報
【特許文献２】実用平０４−０５４２２４号公報
【特許文献３】実公昭３１−０１９４２５号公報
【特許文献４】特公昭０６−０００９５２号公報
【発明の概要】
【発明が解決しようとする課題】
【０００６】
歴史的及び習慣上の理由のため、男性や活動的な若い女性は日傘を使用することに対し抵抗感を持つ。また、繁華街の歩行者が混雑する中で日傘を使用すると他人の歩行の邪魔になり、屋外スポーツの観覧場の中で使用すると他人の視界の邪魔になる。以上の理由のため、若い女性の日傘の使用率は低く、男性用日傘が製品化されていても広く使用されていない。
【課題を解決するための手段】
【０００７】
本発明は上記に示す従来の欠点を解消するために機能性、携帯性、デザイン性を持つ携帯用日除けを提供するものである。
【０００８】
上記の目的を達成するために本発明による請求項１においては、本携帯用日除けが先行事例にある発明よりも、携帯性と多様な形状にすることが可能であることを特徴としている。
先ず、本携帯用日除けの携帯性については、鞄等に収納できる程度の大きさに容易に折畳め、また必要な時に容易に拡げることができることを特徴としている。    
この携帯用日除けの日除け効果がある日除け本体部分の構造は次のとおりである。
扇状に開閉できる複数の骨部材の要の近傍部分、若しくは、骨部材へ直接に適度な弾性率を持つ弾性体を取りつける。
弾性体が弾性変形していない時は複数の骨部材は開いた状態にあり、その骨部材が手によって閉じられた時に弾性体は弾性変形し、開き止め部材によって複数の骨部材は閉じた状態に保持される。開き止め部材を取り除くと、弾性体の弾性変形が開放されることによって複数部材は開いた状態になる。
そして、複数の骨部材が開いた状態にある時に、日除けのためのシートが複数の骨部材に張設される。
【０００９】
また、骨部材はシートが張設でき、そして、骨部材を閉じた時に携帯性が失われない程度に、骨部材はＳ字型、波型、Ｌ字型等々の直線以外の形状にすること及び、各々骨部材を異なる長さにすることができる。この骨部材の形状、長さの多様性、及びこれらの組合せによって、多様なデザインが可能になることを特徴としている。
【００１０】
請求項２においては、手持ちに便利な軸部材が請求項１の日除けに取り設けることができることを特徴としている。その軸部材には、可動継ぎ手が取り設けられ、日除け部分を日差しの方向に容易に動かすことができる。
また、軸部材は、日除けを閉じた時に携帯性が良くなるように伸縮性を持たせることもできる。
【００１１】
請求項３においては、弾性体がねじりばねであり、弾性体部分と骨部材の要の部分が一体化していることを特徴としている。一つのねじりばねの両端に骨部材を取り設け一つの要素を構成する。日除け本体部分はその要素を複数個重ねることによって構成されている。
その複数要素の重ねる方法は、それぞれの要素がデザイン性を持つことができるように配置され、それぞれの要素のねじりばね部分を重ね合わせ、相互に接合し一体化する。そして、それぞれの要素の骨部材に日除けのためのシートを張設することを特徴としている。
【００１２】
請求項４においては、弾性体が圧縮ばね、若しくは、引張ばねであることを特徴としている。
弾性体が圧縮ばねの場合は、扇状に開閉できる複数の骨部材の端部が概ね要部分において軸支されている。それら複数の骨部材の各々の間に圧縮ばねを配置し、各々の圧縮ばねの両端部を近接するそれぞれ骨部材に接合したものである。
また、弾性体が引張ばねの場合は、扇状に開閉できる複数の骨部材が概ね要部分において軸支され、軸支部分を境にシートが張設された骨部材と反対側に伸びたそれぞれの骨部材の各々間に引張ばねを配置し、各々の引張ばねの両端部を近接するそれぞれ骨部材に接合したものである。
【００１３】
請求項５においては、開き止め部材は日除け本体を閉じた時に日除け本体が携帯可能な状態を保持できる程度の長さにあるループ状部材であることを特徴とする。
そのループ状の開き止め部材を要部分からずり上げることによって、シートが張設された骨部材は閉状態になり、ずり下げることによって骨部材が開状態になることを特徴とする。
【００１４】
請求項６においては、日除けのためのシートが引張弾性性能を有することを特徴とする。
多様なデザインを可能とするために、複数の骨部材は多様な形状と長さをしている。日除け本体が複雑な形状の開状態にある時に、シートに皺ができることなく滑らかな形態にするために、日除けのためのシートは引張弾性性能を有することを特徴とする。
【発明の効果】
【００１５】
複数骨部材は多様な長さ・形状にできることから、日除け本体は多様なデザインにすることができる。
また、適度な弾性率を持つ弾性体を取付けることから、容易に折り畳むことができる。また、ループ状の開き止めによって日除け本体を折り畳んだ状態に容易に保持することができるため簡単に携帯ができる。そして、開き止めを解放することによって容易に日除け本体を開くことができる。
【００１６】
可動継手を取設けた手持ち用の軸部材を取付けることできる。それによって、手によって日除け本体を頭上に持ち上げ続けることなく、容易に使用することができる。手持ち用の軸部材は、その軸部材を折畳んだ時に、携帯に不便にならない程度にＳ字型等自由な形状にすることができる。そのために日除け本体のみでなく手持ち用の軸部材も多様なデザインができる。その結果、携帯用日除け全体をより一層魅力的にすることが可能となる。
【００１７】
また、可動継手が取設けてあることから、容易に日差し方向に動かすことができる。そして、可動継手があることから手持ち用の軸を日除け本体方向に折畳み、開き止めによって日除け本体と一体に系合し容易に携帯することができる。
【００１８】
また、ループ状の開き止めは、ずり上げることによって日除け本体または日除け本体と可動継手を取設けた手持ち用軸部材を容易に閉じることができ、ループ状の開き止めをずり下げることによって容易に日除け本体または日除け本体と手持ち用軸部材を開くことができる。
日除け本体のシートに適度な引張弾性率の材質を使用することから、多様な長さ、形状の複数の骨部材へ皺を作ることなく平滑に張設することができる。
【図面の簡単な説明】
【００１９】
【図１】図１は携帯用日除けのねじりばねを使用した実施例１の実施の形態を示した斜視図である。
【図２】図２は日除け本体を下部から示した平面図である。
【図３】図３は日除け本体が閉じられる途中段階を下部から示した平面図である。
【図４】図４は日除け本体が閉じられ、開止めを装着した状態を下部から示した平面図である。
【図５】図５は複数のねじりばねと複数の骨部材を示した平面図である。
【図６】図６は複数のねじりばねが接合される前の状態を示した立面詳細図である。
【図７】図７は複数のねじればねが接合され、手持ち用軸部材が取り設けられた立面詳細図である。
【図８】図８は圧縮弾性体を使用した実施例２を下部から示した平面図である。
【図９】図９はループ状の開き止めの使用状態を下部から示した平面図である。
【発明を実施するための形態】
【実施例１】
【００２０】
本発明による携帯用日除けの実施の形態を図１に示す。図２は下部から見た日除け本体の平面図である。日除け本体は、骨部材（２）とねじりばね（６）が一体となった形態である。図３は手等によって日除け本体を閉じる途中を示した平面図である。徐々にねじりばね（６）が弾性エネルギーを蓄積している状態である。図４は日除け本体が閉じられ開止め（７）により拘束された状態である。ねじりばね（６）の弾性エネルギーは最大となる。開き止め（７）を解放すると日除け本体は自動的に開く。
【００２１】
図５は骨部材（２）とねじりばね（６）が一体成形された要素を示す。実施例１では要素３個を適切に配置し各々の要部分（９）を重層状に接合することによって日除け本体は構成されている。各々の骨部材（２）の長さは異なっていてもよく、またそれらの形状は直線のみでなく波型、Ｓ型等任意である。これら骨部材（２）の長さや形状は、日除け本体を閉じた時、携帯性に障害にならない程度の範囲で自由にデザインすることができる。
【００２２】
図６は前記複数のねじりばね（６）部分が重層状に接合される前を示す部分詳細立面図である。ねじりばね（６）部分を接合することによって、日除け本体が開状態の形状を保持できる。この開状態の骨部材にシート（３）を張設することによって日除け本体は構成されている。
【００２３】
図７はねじりばね（６）の接合部分と可動継手（５）を取付けた手持ち用の軸部材（４）を取り設けた立面詳細図である。ここでは、可動継手（５）がボールジョイントである実施例を示しているが、プラスティック等の蛇腹式であってもよい。この可動継手（５）によって、簡単に日差しを遮る方向に日除け本体を動かすことができる。可動継手（５）は１以上取り設けることによって、手持ち用の軸部材（４）を可動継手（５）の部分で折畳むことができる。そして、本体を閉じた時、開き止め（７）によって日除け本体と手持ち用の軸部材（４）を一体的に閉じた状態に保持できる。
【実施例２】
【００２４】
図７は、開閉に作用する弾性体が圧縮ばね（８）の場合を示す。扇状に配置された複数の骨部材（２）は要部分（９）で軸支され、扇状に開閉可動となっている。要部分（９）から自由端に向かう部分の隣り合う骨部材（２）と骨部材（２）の間に圧縮ばね（８）を配置し、圧縮ばね（８）は各々の骨部材（２）に接合されている。
【００２５】
図９は、日除け本体を開き止め（１１）によって閉じる一方法を示す。開き止め（１１）はループ状になることによって、閉じられた日除け本体が開くことを防止する。この開き止め（１１）は要部分（９）からずり上げることによって簡単に日除け本体を閉じることができる。また、この開き止め（１１）を日除け本体の要部分（９）の方向へずり下げることによって、日除け本体を簡単に開状態にすることができる。
この実施例以外に、雨傘に一般的に見られる係止による方法によっても開き止めとすることができる。
【００２６】
これら一連の簡便な機能によって実施できる理由は、本発明が風雨に対するものではなく、日差しに対処することを目的とすることから構造は堅固である必要がないためである。
【００２７】
また魅力的なデザインを可能にするために、骨部材（２）を多様な形状及び長さにすることができる。しかし、そのために日除けシート（３）にしわが発生し、張設がうまくいかない場合がある。この問題を解決するために、日除けシート（３）の材質が日除け本体の開閉に影響が無い程度の、そして想定するデザインへ影響が無い程度の引張弾性率を有する材質のシートを使用することによって多様な形状及び長さの骨部材へ日除けシートを滑らかに張設できる。
【符号の説明】
【００２８】
１    弾性体
２    骨部材
３    日除けシート
４    手持ち用軸部材
５    可動継手
６    ねじりばね
７    開き止め
８    圧縮ばね
９    要部分若しくは軸支された要部分
１０  引張ばね
１１  ループ状の開き止め
【図１】
2010259703.tif 000003
【図２】
2010259703.tif 000004
【図３】
2010259703.tif 000005
【図４】
2010259703.tif 000006
【図５】
2010259703.tif 000007
【図６】
2010259703.tif 000008
【図７】
2010259703.tif 000009
【図８】
2010259703.tif 000010
【図９】
2010259703.tif 000011
【手続補正書】
【提出日】平成22年9月7日(2010.9.7)
【手続補正１】
【補正対象書類名】特許請求の範囲
【補正対象項目名】請求項４
【補正方法】変更
【補正の内容】
【請求項４】
前記一以上の弾性体が一以上の圧縮弾性体、若しくは、一以上の引張り弾性体であることを特徴とする請求項１から２のいずれか一項に記載の携帯用日除け